(57)【要約】  【課題】スコップ底の水抜き穴を金網構造にするものにおいて、金網部が窪んだり変形したりすることを防止でき、スコップ本体部の強度低下も抑制できる、堅牢な金網構造を実現する。  【解決手段】少なくとも底側の水抜き窓穴に網を張ったスコップにおいて、網の部分が、スコップ本体と一体の十字状の補強部で支持されているため、網部が、十字状の補強部と水抜き窓穴の外周部とによって確実に補強される。その結果、重い石などを網部で掬い上げたりした場合でも、網部が容易に窪んだり変形したりするのを効果的に抑制でき、水抜き窓穴の中に十字状の補強部があるため、スコップ本体全体として補強される。【選択図】          図１
0003113844.tif 000002
【実用新案登録請求の範囲】
【請求項１】
少なくとも底側の水抜き窓穴に網を張ったスコップにおいて、
網の部分が、スコップ本体と一体の十字状の補強部で支持されていることを特徴とする網つきスコップ。
【請求項２】
前記の十字状補強部の中央の縦補強部が、スコップ本体の柄挿入部の延長上の縦リブを兼ねていることを特徴とする請求項１に記載の網つきスコップ。
【請求項３】
前記の網はスコップ本体の底部の下側又は上側に重ねてあり、この網を前記の十字状補強部との間に挟持できるような田の字状の当て板を重ねて固定してあることを特徴とする請求項１または請求項２に記載の網つきスコップ。
【請求項４】
前記のスコップ本体と柄部との間が折り曲げ可能となっており、スコップ本体と柄部をほぼ水平状態にロックできると共に、ほぼＬ字状に折った状態でもロック可能な構造としたことを特徴とする請求項１、請求項２または請求項３に記載の網つきスコップ。
【考案の詳細な説明】
【技術分野】
【０００１】
本考案は、スコップ底の掬い部に水抜き用の網を有し、しかも堅牢なスコップに関する。
【背景技術】
【０００２】
実開平７−8444号に記載のように、スコップ本体に網状の穴をあけた構造が提案されており、液体中に浮遊する木くず、発泡スチロール等の軽いもののすくい上げ又は液体中の沈殿物、汚泥等のすくい上げが可能となる。
【特許文献１】実開平７−8444
【考案の開示】
【考案が解決しようとする課題】
【０００３】
しかしながら、このようにスコップ本体に多数の穴を網状にあけるのは、製造上問題であり、コスト高となる。また、濡れた紙などがぴったり密着したりすると、穴が塞がれてしまって排水が困難となり、所期の目的を達成できない。
【０００４】
そこで、スコップの掬い部に多数の穴をあける代わりに金網を取付け固定することも考えられるが、金網は強度が弱いため、金網の部分が窪んだり変形したりするといった問題が生じる。そのまま使い続けると、ついに金網部に穴が開いてしまう等の問題がある。また、金網を取付ける窓穴を開けるとスコップ本体部の強度も低下するという問題がある。
【０００５】
本考案の技術的課題は、このような問題に着目し、スコップの水抜き穴を金網構造にするものにおいて、金網部が窪んだり変形したりすることを防止でき、スコップ本体部の強度低下も抑制できる、堅牢な金網構造を実現することにある。
【課題を解決するための手段】
【０００６】
本考案の技術的課題は次のような手段によって解決される。請求項１は、少なくとも底側の水抜き窓穴に網を張ったスコップにおいて、網の部分が、スコップ本体と一体の十字状の補強部で支持されていることを特徴とする網つきスコップ。十字状の補強部で区切られた各窓穴ごとに網を取付け支持してもよいし、総ての窓穴を１枚の大きな網で覆ってもよい。
【０００７】
このように、底側の水抜き窓穴に網を張ったスコップにおいて、網の部分が、スコップ本体と一体の十字状の補強部で支持されているため、網部が、十字状の補強部と水抜き窓穴の外周部（本体部）とによって確実に補強される。その結果、スコップを使用している間に重い石などを網部で掬い上げたりした場合でも、網部が容易に窪んだり変形したりするのを効果的に抑制できる。また、水抜き窓穴の中に十字状の補強部があるため、スコップ本体全体として補強される。
【０００８】
請求項２は、前記の十字状補強部の中央の縦補強部が、スコップ本体の柄挿入部の延長上の縦リブを兼ねていることを特徴とする請求項１に記載の網つきスコップである。
【０００９】
通常のスコップは、スコップ本体に、手で持つ柄を挿入して固定するための柄挿入部を一体に有しており、しかもスコップ本体まで柄挿入部と連続した縦リブが延長上している場合が多い。したがって、この柄挿入部の延長上の縦リブを、十字状補強部の中央の縦補強部と兼ねさせる構造にすれば、柄挿入部の延長上の縦リブによって、網部全体の補強も兼ねることができるので、網部全体の補強強度も向上する。
【００１０】
請求項３は、前記の網はスコップ本体の底部の下側又は上側に重ねてあり、この網を前記の十字状補強部との間に挟持できるように田の字状の当て板を重ねて固定してあることを特徴とする請求項１または請求項２に記載の網つきスコップである。
【００１１】
このように、前記の網はスコップ本体の底部の下側又は上側に重ねてあり、この網を前記の十字状補強部との間に挟持できるように田の字状の当て板を重ねて固定してある構造であるため、網部は上下両側からサンドイッチ状に挟持されることとなり、網部の支持が確実かつ堅牢となる。しかも、スコップ底側の水抜き窓穴中には、十字状の補強部が生じるだけであるから、水抜き穴の面積の犠牲は最小限に抑制でき、排水の妨げとなることはない。
【００１２】
請求項４は、前記のスコップ本体と柄部との間が折り曲げ可能となっており、スコップ本体と柄部をほぼ水平状態にロックできると共に、ほぼＬ字状に折った状態でもロック可能な構造としたことを特徴とする請求項１、請求項２または請求項３に記載の網つきスコップである。
【００１３】
このように、前記のスコップ本体と柄部との間が折り曲げ可能となっている。そして、スコップ本体と柄部をほぼ水平状態にロックできるので、柄部を水平状に持って、通常の掬い上げ操作が可能となり、ほぼＬ字状に折った状態でロックした場合は、柄部を立てた状態で使用できるので、立った状態ですくい上げ操作でき、操作か楽で腰痛を来す恐れがない。
【考案の効果】
【００１４】
請求項１のように、底側の水抜き窓穴に網を張ったスコップにおいて、網の部分が、スコップ本体と一体の十字状の補強部で支持されているため、網部の全体が、十字状の補強部と水抜き穴の外周部によって確実に補強される。その結果、スコップを使用している間に重い石などが網部で掬い上げたりした場合でも、網部が容易に窪んだり変形したりするのを効果的に抑制できる。また、水抜き窓穴の中に十字状の補強部があるため、スコップ本体全体として補強される。
【００１５】
請求項２のように、柄挿入部の延長上の縦リブを、十字状補強部の中央の縦補強部と兼ねさせる構造であるため、柄挿入部の延長上の縦リブによって、網部全体の補強も兼ねることができ、網部全体の強度向上も可能となる。
【００１６】
請求項３のように、前記の網はスコップ本体の底部の下側又は上側に重ねてあり、この網を前記の十字状補強部との間に挟持できるように田の字状の当て板を重ねて固定してある構造であるため、網部は上下両側からサンドイッチ状に挟持されることとなり、網部の支持が確実となる。しかも、スコップ底側の水抜き窓穴中には、十字状の補強部が生じるだけであるから、水抜き穴の面積の犠牲は最小限に抑制でき、排水の妨げとなることはない。
【００１７】
請求項４のように、前記のスコップ本体と柄部との間が折り曲げ可能となっている。そして、スコップ本体と柄部をほぼ水平状態にロックできるので、柄部を水平状に持って、通常の掬い上げ操作が可能となり、ほぼＬ字状に折った状態でロックした場合は、柄部を立てた状態で使用できるので、立った状態ですくい上げ操作でき、操作か楽で腰痛を来す恐れがない。
【考案を実施するための最良の形態】
【００１８】
次に本考案による網つきスコップが実際上どのように具体化されるか実施形態を説明する。図１は、本考案による網つきスコップを上側から見た斜視図であり、図２は、図１の網つきスコップを上下反転させた状態の斜視図である。このスコップも、通常のスコップと同様に、スコップ本体部１の中央の上側に柄挿入部２を一体に有している。この柄挿入部２は、円筒状をしており、その中に柄部３を挿入して軸４で固定してある。柄部３の上端には、把手５を取付け固定してある。
【００１９】
スコップ本体部１の上部（柄部３寄り）には、柄挿入部２から延長してきた縦リブ６が形成されていて、スコップ本体部１全体を補強している。しかも、本体部１と柄挿入部２とを十分な強度をもって一体的に連結している。
【００２０】
図３は、図１の網つきスコップにおいて、網７を装着する前の状態を示す斜視図である。この図のように、本考案においては、スコップ本体部１の底側のすくい部、すなわち窪んだ領域に、水抜き用の窓穴８を開けておき、この水抜き窓穴８全体に網７を張って塞いでおく。そのため、水のような液体や細かい粒体や粉末などは網７の網目を通過して、漏れ落ちることになる。
【００２１】
水抜き窓穴８は、スコップの本体部１の窪んだ底側のほぼ全領域にわたって窓穴状に打ち抜き形成する。ただし、単一の大きな窓穴を開けたのでは、網７の強度低下が著しい。そこで、本考案では、底側のほぼ全領域にわたる窓穴中に十字状の補強部９が残るように、４分割した、比較的小さな窓穴８を４個開けてある。４個の窓穴８の外周１０並びに十字状の補強部９には、網７の取付け固定用のリベット穴１１を多数開けてある。
【００２２】
図４は、図３のように網を取付ける前の状態を反転させた状態であり、本体部１の窪んだ底側のほぼ全領域を利用して４個の窓穴８を打ち抜き形成してある。その結果、縦補強部９１と横補強部９２が十字状にクロスした形状の十字状補強部９が形成される。そして、これら４個の窓穴８を覆うように、図５のような１枚の網７を被せてから、網７の上から、図６のような田の字状の押さえ板１２を重ねて、本体部１と固定する。網目のサイズは、４〜１０メッシュ程度が適しているが、特に限定はされない。
【００２３】
図６に示す押さえ板１２は、図４に示す十字状の補強部９と同様な形状の十字状の押さえ板部１２ａを有している。そして、この十字状押さえ板部１２ａを囲むような外枠部１２ｂが長方形状に形成されている。したがって、全体として、漢字の田の字状をしている。この田の字状押さえ板１２にも、要所要所にリベット穴１３を開けてある。
【００２４】
そのため、この田の字状の押さえ板１２を、網７の上から、図４の本体部１の上に被せて、リベット穴１３、１０にリベットを挿入して加締め固定すると、図１、図２のような網つきスコップが完成する。
【００２５】
図４から明らかなように、柄挿入部２の延長上の縦リブ６を、十字状補強部９の中央の縦補強部９１と兼ねさせる構造にしてあるので、柄挿入部２の延長上の縦リブ６によって、網部全体の補強も兼ねることができる。以上のように、網７を押さえ板１２で押さえて本体部１に固定する場合は、網７は樹脂製も可能である。縦リブ６は、図１、図３のように表側では凸状になっているので、図４のような裏側で凹溝状となる。その上に図６のような押さえ板１２を被せた場合、凹溝中に入った水が抜けやすいように、水抜き孔１２ｃを開けておくのがよい。
【００２６】
図示例では、本体部１と押さえ板１２をリベットで固定しているが、リベットを用いないで、溶接で固定してもよい。また、網７は、押さえ板１２でサンドイッチ状に挟持する構造でなく、網７自体を本体１に直接に溶接してもよい。接着固定も可能である。あるいは、図３の各窓穴８の寸法に対応したサイズの４枚の網を用意し、それぞれの網を各窓穴８の内周に挟着固定することも可能である。
【００２７】
図７は、以上のスコップ本体部１の平面図であり、図８は、図７の本体部１の側面図である。通常のスコップは、図８のように、本体部１と柄部３とがほぼ水平の状態となっていて、片手で柄部３を持ち、他方の手で図１の把手を持ってすくい上げ操作をするため、長時間操作すると、操作者の腰痛を来す恐れがある。また、開口の狭い溝の中の掃除には、長い柄部３が邪魔になり、操作が不便である。
【００２８】
これに対し、図８のように、柄部３と柄挿入部２とを分断して、スコップ本体１と柄部３との間が支軸１４を支点にして折り曲げ可能な構造にしておくと、両用が可能となる。すなわち、柄挿入部２から延びた両腕部２ａ、２ａ間に柄部３の先端を挿入して支軸１４で軸支した状態で、ピン１５も挿入しておけば、スコップ本体１と柄部３をほぼ水平状態にロックできる。一方、このピン１５を抜けば、鎖線３ａのように、支軸１４を中心にして、柄部をほぼＬ字状に折って立てた状態にもできる。柄部３ａを立てた状態では、本体部１の吊りバー１６の上端と柄部３ａの横穴に前記のピン１５を挿入して連結すれば、柄部３を立てた状態にロックできる。吊りバー１６は左右２本使用し、それぞれの下端を、図７の本体部１の左右の側縁１ａ、１ｂの連結孔ｈに引っ掛けたり、ネジ止めするなどの手法で連結することは当然である。
【００２９】
このように、柄部３を立てた状態にすれば、操作者が立った状態で溝などの清掃作業ができ、腰の疲れを軽減できる。また、狭い開口から本体部１を下ろして溝掃除できるので、水平の柄部３が邪魔になることもなく、汎用性のある網つきスコップとなる。
【００３０】
以上の実施形態ではスコップ本体部１の形状はほぼ長方形状ないし台形状をしているが、図９のように前半部が円弧状をしていてもよい。したがって、本体部１の形状は特に限定されない。
【産業上の利用可能性】
【００３１】
以上のように、底側の水抜き窓穴に網を張ったスコップにおいて、網の部分が、スコップ本体と一体の十字状の補強部で支持されているため、網の部分もスコップ本体側も強度が向上し、スコップとして使用する際に網部が変形損傷したりするのを防止し、長寿命の網つきスコップを実現できる。
【図面の簡単な説明】
【００３２】
【図１】本考案による網つきスコップを上側から見た斜視図である。
【図２】図１の網つきスコップを上下反転させた状態の斜視図である。
【図３】図１の網つきスコップにおいて、網を装着する前の状態を示す斜視図である。
【図４】図３のように網を取付ける前の状態を反転させた状態である。
【図５】網の斜視図である。
【図６】網の押さえ板の斜視図である。
【図７】本体部の平面図である。
【図８】本体部の側面図である。
【図９】本体部の他の実施形態を示す平面図である。
【符号の説明】
【００３３】
１  スコップ本体部
２  柄挿入部
３  柄部
４  ピン
５  把手
６  縦リブ
７  網
８  水抜き穴
９  十字状の補強部
１０  外枠部
１１  リベット穴
１２  押さえ板
１３  リベット穴
１４  支軸
１５  ピン
１６  吊りバー
【図１】
0003113844.tif 000003
【図２】
0003113844.tif 000004
【図３】
0003113844.tif 000005
【図４】
0003113844.tif 000006
【図５】
0003113844.tif 000007
【図６】
0003113844.tif 000008
【図７】
0003113844.tif 000009
【図８】
0003113844.tif 000010
【図９】
0003113844.tif 000011